(57)【要約】      （修正有）【課題】テコの原理を用いて対象物に力を加える際に、対象物の形状、重量などに応じて容易に支点の高さを変えることができるテコ敷きを提供する。【解決手段】貫通孔部７と、貫通孔部７を、設置面に対して第１の距離を空けて、設置面に対し略平行に支持する第１の支持部Ｓ１と、貫通孔部７を、設置面に対して第１の距離とは異なる第２の距離を空けて、設置面に対し略平行に支持する第２の支持部Ｓ２を有するものとする。【選択図】図１
0003204824.tif 000002
【実用新案登録請求の範囲】
【請求項１】
中実の直方体又は正方体の本体からなり、該本体の正面から背面に至るテコ棒貫通用孔が、正面及び背面の中心点から偏心した位置に、少なくとも１個設けられてなることを特徴とするテコ敷。
【請求項２】
テコ棒貫通用孔の複数個が、一列に傾斜して設けられてなることを特徴とする請求項１記載のテコ敷。
【請求項３】
複数のテコ棒貫通用孔を収納する収納部が、正面及び／又は背面の表面から本体内部へ窪んで設けられてなることを特徴とする請求項２記載のテコ敷。
【請求項４】
収納部に収納されている複数のテコ棒貫通用孔が、それらの上部において開口しており、これらの開口部上端と上記収納部の天面との間が、該上端と天面とを垂直に繋ぐ線の長さで、上記テコ棒の直径ＤＬに対してＬ×１．１％〜１．２０％となる空間が設けられてなることを特徴とする請求項３記載のテコ敷。
【考案の詳細な説明】
【技術分野】
【０００１】
本考案は、テコの原理を利用して対象物に力を加える際の支点の位置を所望高さに変更することができるテコ敷きに関する。
【背景技術】
【０００２】
従来、テコの原理を利用して家具を持ち上げる器具が提案されている（例えば、特許文献１）。
【先行技術文献】
【特許文献】
【０００３】
【特許文献１】実公平６−１５９７号公報
【考案の概要】
【考案が解決しようとする課題】
【０００４】
しかし、従来の器具においては、力を加える対象となる対象物の形状、重量、あるいは対象物が存在している位置（以下、単に「位置」とも言う）などに応じて支点の高さを変えることができないため、工場や作業現場などで様々な形状、重量を有し、かつ様々な位置にある対象物に対応するためには多数の器具を用意しておく必要がある。
【０００５】
上記の要請に応じて、本考案は、テコの原理を用いて対象物に力を加える際に、対象物の形状、重量、位置などに応じて容易に支点の高さを変えることができるテコ敷きを提供することを課題とする。
【課題を解決するための手段】
【０００６】
上記課題を解決するため、本考案のテコ敷きは、中実の直方体又は正方体の本体からなり、該本体の正面から背面に至るテコ棒貫通用孔が、正面及び背面の中心点から偏心した位置に、少なくとも１個設けられてなることを特徴とする。
上記テコ棒貫通用孔の複数個が、正面及び背面から見て、一列に傾斜して設けられていてもよいし、これら複数のテコ棒貫通用孔の全部を収納する収納部が、正面及び／又は背面の表面から本体内部へ窪んで設けられていてもよい。
また、上記収納部に収納されている複数のテコ棒貫通用孔が、それらの上部において開口しており、これらの開口部上端と上記収納部の天面との間が、該上端と天面とを垂直に繋ぐ線の長さで、上記テコ棒の直径ＤＬに対してＤＬ×１．１％〜１．２０％となる空間が設けられていてもよい。さらに、上記天面の上記開口部と相対する部位又は該部位から左又は右にずれた位置に、テコ棒貫通用孔が、前記空間側に開口部を有して、１個以上設けられていてもよい。
【考案の効果】
【０００７】
本考案のテコ敷によれば、テコの原理を用いて対象物に力を加える際に、対象物の形状、重量など、あるいは対象物が存在する位置（高さ）などに応じて容易に支点の高さを変えることができる。
また、本考案のテコ敷では、対象物に力を加えている途上で、力を加えたままで、支点の位置を所期位置に変更することもできる。
【図面の簡単な説明】
【０００８】
【図１】本考案の一実施形態に係るテコ敷きを示す斜視図である。
【図２】図１に示すテコ敷きの正面図である。
【図３】図２のＡ−Ａ線断面矢視図である。
【図４】図１に示すテコ敷きの使用態様例を示す図である。
【図５】本考案の他の実施形態に係るテコ敷きを示す斜視図である。
【図６】本考案の更に他の実施形態に係るテコ敷きを示す斜視図である。
【図７】本考案の更に他の実施形態に係るテコ敷きを示す斜視図である。
【図８】本考案の更に他の実施形態に係るテコ敷を示す斜視図である。
【考案を実施するための形態】
【０００９】
以下、本考案の一実施形態を図１〜図４を参照しながら説明する。
図１〜図４において、テコ敷き１００は、中実の直方体本体１からなり、正面５から背面６に至るテコ棒貫通用孔７が、正面５（及び背面６）の中心点ｃから偏心した位置に１個設けられており、第１の支持部Ｓ１と、第２の支持部Ｓ２と、第３の支持部Ｓ３と、第４の支持部Ｓ４と、正面５と、背面６とを有している。なお、本例では、テコ棒貫通用孔７は、その中心軸線が、正面５及び背面６に対して垂直方向となるように設けられている。
【００１０】
上記の貫通用孔７は、正面５側の端部が正面５側から貫通用孔７の中心軸線方向で内側に向かうにつれて漸次内径が小さくなるテーパー部７ａを形成している。これと同様に、貫通孔部７は、背面６側の端部が背面６側から中心軸線方向で内側に向かうにつれて漸次内径が小さくなるテーパー部７ｂを形成している（図３参照）。貫通孔用７の中間部７ｃは、テーパー部７ａとテーパー部７ｂの間で、貫通用孔７の中心軸線方向の全長にわたって同一径を有する円柱面状の内周面を形成している。
【００１１】
図２は、上記テコ敷き１００の正面図である。テコ敷き１００は、使用者の選択により、テコ敷き１００を設置面９（図４参照）に支持する支持部Ｓ１、Ｓ２、Ｓ３、Ｓ４を有している。支持部Ｓ１、Ｓ２、Ｓ３、Ｓ４はそれぞれ設置面９に接触する支持面を形成している。図２において、貫通用孔７の中間部７ｃの内周面の図面に対し最下部７ｃ１と第１の支持部Ｓ１の支持面とを垂直に繋ぐ距離を第１の距離Ｄ１、中間部７ｃの内周面の図面に対し左最端部７ｃ２と第２の支持部Ｓ２の支持面とを垂直に繋ぐ距離を第２の距離Ｄ２、中間部７ｃの内周面の図面に対し最右端部７ｃ３と第３の支持部Ｓ３の支持面とを垂直に繋ぐ距離を第３の距離Ｄ３、中間部７ｃの内周面の図面に対し最上部７ｃ４と第４の支持部Ｓ４の支持面とを垂直に繋ぐ距離を第４の距離Ｄ４として示している。
【００１２】
図２に示すように、第１の距離Ｄ１、第２の距離Ｄ２、第３の距離Ｄ３、第４の距離Ｄ４は、互いに異なっている。本例では、第１の距離Ｄ１よりも第２の距離Ｄ２の方が短く、第２の距離Ｄ２よりも第３の距離Ｄ３の方が短く、第３の距離Ｄ３よりも第４の距離Ｄ４の方が短い。
【００１３】
図３は、上記テコ敷き１００の図２に示すＡ−Ａ断面図である。破線は、テコの原理の力点Ｐと作用点Ｅを構成する棒８（テコ棒）を示している（図４参照）。
【００１４】
貫通用孔７の中間部７ｃは、テコ棒８よりも十分に内径が大きい。また、中間部７ｃの両側にはテーパー部７ａ、７ｂが形成されている。したがって、テコ棒８は、貫通用孔７に包囲された部分を中心として、貫通用孔の中心軸線に対して、傾くことができる。
【００１５】
図４は上記テコ敷き１００の使用方法を示す図である。地面、床面などの設置面９に置かれた対象物１０を持ち上げるためのテコ敷き１００の使用方法の一例を示している。
【００１６】
使用者は、テコ敷き１００を対象物１０から適当な距離だけ離して設置面９に置き、貫通用孔７に通したテコ棒８の一端部を対象物１０の下側に挿入し、テコ棒８の他端部周辺を押し下げることで、テコの原理によって小さい力で対象物１０を持ち上げることができる。この使用方法において、対象物１０の下側に挿入されたテコ棒８の一端部は作用点Ｅ、テコ敷き１００のテコ棒８との接触点は支点Ｆ、使用者が押し下げるテコ棒８の他端部周辺は力点Ｐの役割を果たす。
【００１７】
テコ敷き１００は、上記のように、貫通用孔７の内周面と第１支持部Ｓ１〜第４支持部Ｓ４の各支持面との第１距離Ｄ１〜第４距離Ｄ４が互いに異なっていることから、テコ棒８の支持部を、第１支持部Ｓ１〜第４支持部Ｓ４のいずれかに適宜変えることにより、支点Ｆの高さを適宜変更することができる。
例えば、対象物１０の形状などにより作用点Ｅの位置が高い場合には、テコ敷き１００を、第１支持部Ｓ１が設置面９と接触するようにして設置面９上に置くことで、支点Ｆを設置面９から第１距離Ｄ１を空けた高い位置とすることができる。
作用点Ｅが低い場合には、テコ敷き１００を、第４支持部Ｓ４が設置面９と接触するようにして設置面９上に置くことで、支点Ｆを設置面９から第４距離Ｄ４だけ空けた低い位置とすることができる。
支点Ｆを第１距離Ｄ１と第４距離Ｄ４の間の高さとする場合には、第２支持部Ｓ２あるいは、第３支持部Ｓ３が設置面９と接触するようにして設置面９上に置けばよい。
【００１８】
以上のように、本考案のテコ敷き１００によれば、支点Ｆの高さを適宜、容易に変えることができる。また、力点Ｐと作用点Ｅを構成するテコ棒８と支点Ｆを構成するテコ敷き１００とを別体とするため、力点Ｐと支点Ｆの間の距離および支点Ｆと作用点Ｅの間の距離を適宜、容易に調整することができる。
【００１９】
また、本考案において、上記の貫通用孔７が画定する貫通用孔７の形状や方向は、力点Ｐおよび作用点Ｅを構成する部材、すなわちテコ棒８が、貫通用孔内において、傾斜して自由に動くことができるあらゆる形状、方向とすることができる。例えば、貫通用孔は、中心軸線方向に見て四角形をしていてもよいし、各支持部Ｓ１〜Ｓ４が形成する支持面に対して傾斜していてもよい。
【００２０】
また、本考案のテコ敷き１００は、図５に示すように、複数（図５では、３個）の貫通孔用７を有していてもよい。
これら３個の貫通用孔７は、全てが偏心した位置にランダムに設けてもよいし、図５に示すように、正面及び背面から見て、一列に傾斜して設けてもよい。
但し、本体の大きさや材質にもよるが、貫通用孔７を複数個設ける場合は、本体がテコ敷として機能し得る強度が必要であることを念頭に置いて、設置個数を決定することが重要である。
【００２１】
さらに、本考案のテコ敷１００は、図６に示すように、図５に示す一列に傾斜して設けられている複数（図５，図６では３個）の貫通用孔７を収納する収納部７０が設けられていており、該収納部７０は、本体１の正面及び／又は背面（図６の例では正面及び背面）の表面から本体１の内側に窪みを設けて形成され、上記の各テーパー部７ａ、７ｂは、該窪みの底部から形成されて、各貫通用孔７を形成している。
【００２２】
図７は、収納部に収納されている複数のテコ棒貫通用孔７が、それらの上部において開口７′しており、該開口部７′上端と上記収納部７０の天面との間が、該上端と天面とを垂直に繋ぐ線の長さＬで、上記テコ棒８の直径ＤＬに対してＤＬ×１．１％〜１．２０％となる空間７０′が設けられている。
【００２３】
図７に示すテコ敷１００は、テコ棒８が、図４に示すような対象物１０に力を加えている途上において、力を加えたままで、複数の貫通用孔７，７，・・・間を移動する（図７では、一番左側の、すなわち一番高い位置にある貫通用孔から、真ん中の、すなわち中間の高さの位置にある貫通用孔に移動する途上を説明している）ことができ、テコ棒８の支点の位置を変更することができる。
【００２４】
そして、上記空間７０′の上記寸法（長さ）Ｌを上記程度とするのは、一つの貫通用孔７内に挿入されて対象物に力を加えているテコ棒８が、力を加えたままで、貫通用孔７の開口部７′から収納部７０の空間７０′内に移行し、かつ該空間７０′内を移動して、次の所望の貫通用孔７内に収めるのに、支障が生じないからである。
【００２５】
図８は、図７の変形例を示しており、本例では、天面の、図７に示す開口部７′と相対する部位又は該部位から左又は右にずれた位置（図８の例では、ずれた位置）に、テコ棒貫通用孔７１が、前記空間７０′側に開口部７１′を有して、２個以上設けられている。
本例のテコ敷１００によれば、図７のテコ敷に比べて、支点の位置を更に多数とすることができる。
【符号の説明】
【００２６】
１００  テコ敷き
Ｓ１    第１の支持部
Ｓ２    第２の支持部
Ｓ３    第３の支持部
Ｓ４    第４の支持部
５    正面
６    背面
Ｄ１    第１の距離
Ｄ２    第２の距離
Ｄ３    第３の距離
Ｄ４    第４の距離
７      貫通孔部
７ａ、７ｂ  テーパー部
７ｃ    中間部
８      棒
９      設置面
１０    対象物
Ｅ      作用点
Ｆ      支点
Ｐ      力点
【図１】
0003204824.tif 000003
【図２】
0003204824.tif 000004
【図３】
0003204824.tif 000005
【図４】
0003204824.tif 000006
【図５】
0003204824.tif 000007
【図６】
0003204824.tif 000008
【図７】
0003204824.tif 000009
【図８】
0003204824.tif 000010